(57)【要約】      （修正有）【課題】ドア枠を柱に取付ける際に、ドア枠を柱に当てただけで、一定の突出距離が確保できるドア枠取付け用補助具を提供する。【解決手段】ドア枠７を柱８１に取付ける際、ドア枠が若干突出した状態で取り付けられる。そのために、ドア枠取付け用補助具１の第１アングル部材２と第２アングル部材３とは、第１スライド片２２と第２スライド片３２が摺動機構を介して結合され、摺動機構には横振れ防止用のガイド部材２５が設けられているので、ドア枠７を柱８１の取付け面８３に当ててスライドさせ、第２基準片３１の基準平面３１１が柱８１の側面８４に当接させれば、自動的にドア枠７と柱８１とは突出距離Ｌを保った状態で正確に位置決めされる。この状態でビスを打ち込んで、ドア枠７を柱８１に固定すれば、ドア枠７を柱８１の正しい位置に取付けることができる。【選択図】図７
0003228904.tif 000002
【実用新案登録請求の範囲】
【請求項１】
ドア枠の端面に当接する基準平面を有する第１基準片と該第１基準片に対して直角に折曲
された第１スライド片を備えた第１アングル部材と、
取付け柱の側面に当接する基準平面を有する第２基準片と該第２基準片に対して直角に折
曲された第２スライド片とを備えた第２アングル部材とよりなり、
上記第１アングル部材の第１スライド片と上記第２アングル部材の第２スライド片を密接
させて、上記第２アングル部材を上記第１アングル部材に対して摺動自在に係合させたス
ライド機構、
および、
上記スライド機構に、上記第２スライド片が上記第１スライド片に対して摺動する際横振
れしないようにガイド部材を設けると共に
上記第１アングル部材の第１基準片又は上記第２アングル部材の第２基準片のいずれか一
方あるいは両方に上記ドア枠の端面又は取り付け柱の端面に固定できる固定手段を設けた
ことを特徴とするドア枠取付け用補助具。
【請求項２】
上記スライド機構として、上記第１スライド片にボルトを突設するとともに、上記第２ス
ライド片の中央長手方向にガイド溝を削設した後、両者を重ね、上記ガイド溝を挿通して
突出したボルトの先端にナットを嵌め、上記第２スライド片を上記第１スライド片に対し
て摺動自在に取付けるとともに、上記ナットを締めることによって上記第２スライド片を
任意の位置に固定することができる機構を設けたことを特徴とする請求項１に記載のドア
枠取付け用補助具。
【請求項３】
上記ガイド部材として、上記第１スライド片に上記第２スライド片の側面またはガイド溝
に当接する誘導突起を設けたことを特徴とする請求項１に記載のドア枠取付け用補助具。
【請求項４】
上記第１アングル部材の第１基準片を上記ドア枠の端面に固定する固定手段として、クラ
ンプ部材を使用することを特徴とする請求項１に記載のドア枠取付け用補助具。
【請求項５】
上記クランプ部材は、上記第１基準片の端部を上記第１スライド片と同じ方向に直角に屈
折して設けた支持片に取付けられ、上記クランプ部材の圧迫具と上記第１スライド片との
間でドア枠を挟持し固定する機構を有することを特徴とする請求項４に記載のドア枠取付
け用補助具。
【請求項６】
上記第２アングル部材の第１基準片を取り付け柱の端面に固定する固定手段として、磁石
固定具を上記第２アングル部材の第２基準片に設けたことを特徴とする請求項１に記載の
ドア枠取付け用補助具。
【請求項７】
上記第１基準片の基準平面と上記第２基準片の基準平面との距離を計測できるメジャーを
設けたことを特徴とする請求項１記載のドア枠取付け用補助具。
【請求項８】
上記メジャーとして、上記第２スライド片に目盛りを、第１スライド片に該メジャーの基
準点となる指標をそれぞれ設けたことを特徴とする請求項７に記載のドア枠取付け用補助
具。
【考案の詳細な説明】
【技術分野】
【０００１】
本考案は、取付け柱に対するドア枠の相対位置を設定すると共に、ドア枠を取付け柱の正
確な位置に取付けるためのドア枠取付け用補助具に関するものである。
【背景技術】
【０００２】
門扉をドアの入り口に取付ける場合、取付け柱の内側に木製のドア枠を取付ける。ドア枠
は通常上下左右の柱の内側に取付けられる。柱には外装又は内装用の板材やボード板が貼
り付けられるので、その仕上がり面はドア枠の端面と同じにするか、又は、美的感覚上ド
ア枠が若干突出するように設計されている。
【０００３】
上記のように取付け柱に対するドア枠の位置は、各家屋毎に異なっているので、ドア枠を
柱に固定する際は、柱の側面とドア枠の端面との距離（ここではこの距離を突出距離と呼
称する。）が決められた寸法になるように、その都度計測しながらドア枠を柱に固定して
いる。すなわち、通常のドアの場合、図１３に示すように、両方の柱８の内側にドア枠７
が取付けられている。ドア枠７にはドア９が丁番９１で取付けられる。ドア９にはノッチ
９２およびノブ９３が取り付けられている。また、柱８の内側及び外側には内装用、外装
用のボード板８５が張り付けられる。このボード板８５は、寒冷地の場合は２枚、温暖な
地域では１枚とその土地や建物の設計者の意図により枚数や厚さが異なってくるので、必
然的にドア枠の突出距離Ｌが異なってくる。なお、７１はドア枠７に取り付けられた戸当
りである。
【０００４】
従って、ドア枠７を柱８に取付ける場合は、図１４に示されているように、曲尺９９を使
って、上下の突出距離Ｌを測りながら、ビスを打ち込んでドア枠７を柱８に取付けている
。この作業は片手でドア枠７を押さえながら曲尺９９で突出距離を計り、ビスを打ち込ん
でいかなければならないので、取付け位置が狂ったり、上下の突出距離に誤差が出て、や
り直さなければならない等の極めて高度な技術と手間のかかる作業である。
この問題を解決するために、この突出距離を容易に設定することのできる器具が考案され
ている（米国特許第４５０３８９７号参照）。
【先行技術文献】
【特許文献】
【０００５】
【特許文献１】米国特許第４５０３８９７号公報
【考案の概要】
【考案が解決しようとする課題】
【０００６】
上記の米国特許第４５０３８９７号公報記載の器具は壁にフレームを取り付ける際に、フ
レームを壁に対して一定の寸法だけ凹こまして取り付けるために壁に取り付けたＬ字状を
した器具の第２のレッグ３に長尺片７を摺動自在に取り付けている。長尺片７には横に細
長いスリット８が設けられ、そのスリット８に挿入した裸子５の螺子部６を第２のレッグ
３に螺着している。この構造によって、長尺片７は第２レッグ３に対して横方向にスライ
ドさせることができ、壁１５とフレーム１３の相対位置を決めた後、裸子５を締め込んで
固定させることができる。
しかし、この構造では、長尺片７は裸子５の一点で第２レッグ３に支えられているので、
長尺片７は第２レッグ３に対して回動することができ、長尺片７に固定されたフレーム１
３は壁１５に固定された第２レッグ３に対して斜めに取り付けられる可能性がある。
【課題を解決するための手段】
【０００７】
本考案では、ドア枠を柱に取付ける際に、突出距離を曲尺でいちいち計らなくともドア枠
を柱に当てただけで、一定の突出距離が設定できると共にドア枠と柱の正しい位置が確保
できるドア枠取付け用補助具を提供するものである。
【０００８】
本考案のドア枠取付け用補助具は、ドア枠の端面に当接する基準平面を有する第１基準片
と該第１基準片に対して直角に折曲された第１スライド片を備えた第１アングル部材と、
取付け柱の側面に当接する基準平面を有する第２基準片と該第２基準片に対して直角に折
曲された第２スライド片とを備えた第２アングル部材とよりなり、上記第１アングル部材
の第１スライド片と上記第２アングル部材の第２スライド片を密接させて、上記第２アン
グル部材を上記第１アングル部材に対して摺動自在に係合させたスライド機構、および、
上記スライド機構に、上記第２スライド片が上記第１スライド片に対して摺動する際横振
れしないようにガイド部材を設けたことを特徴とする。
【０００９】
上記スライド機構としては、第１スライド片にボルトを突設するとともに、第２スライド
片の中央長手方向にガイド溝を削設した後、両者を重ね、ガイド溝を挿通して突出したボ
ルトの先端にナットを嵌め、第２スライド片を第１スライド片に対して摺勁自在に取付け
るとともに、ナットを締めることによって第２スライド片を任意の位置に固定することが
できる機構を有する。
【００１０】
上記スライド機構には、第２スライド片が第１スライド片に対して摺動する際横振れしな
いようにガイド部材を設ける。このガイド部材としては、第１基準片または第１スライド
片に第２スライド片の側面またはガイド溝に当接する誘導突起を設ける。
【００１１】
取り付け柱には木製のものと鉄製のものがある。
本考案のドア枠取付け用補助具を木製の柱に取り付けるためには、上記第１アングル部材
の第１基準片に上記ドア枠の端面に固定できる固定手段を設けることが好ましい。
上記固定手段としては、クランプ部材を使用する。このクランプ部材は、第１基準片の端
部を第１スライド片と同じ方向に直角に屈折して設けた支持片に取付けられ、クランプ部
材の圧迫具と第１スライド片との間でドア枠を挟持し固定する機構を有する。
【００１２】
本考案のドア枠取付け用補助具を鉄製の柱に取り付けるためには、上記第２アングル部材
の第２基準片に磁石固定具を設けることが好ましい。この磁石固定具は鉄製柱の側面に吸
着して第2アングル部材を固定する。
【００１３】
本考案ドア枠取付け用補助具に、取り付け柱とドア枠の突出距離を測るためのメジャーを
設けることが好ましい。このメジャーとして、上記第２スライド片に目盛りを、第１スラ
イド片に該メジャーの基準点となる指標をそれぞれ設けることが好ましい。
【考案の効果】
【００１４】
柱が木製の場合は、本考案のドア枠取付け用補助具は、ドア枠に取付けるためのクランプ
式の固定手段と、第１垂直片の基準平面と第２垂直片の基準平面との距離を計測できるメ
ジャーとを備えているので、予め取付け柱に対するドア枠の突出距離を設定した取付け補
助具を２個使用して、ドア枠の上下２ヵ所に取付ける。この補助具が２個取付けられたド
ア枠を柱に当て、補助具の第２垂直片の基準平面を柱の側面に当接させると、自動的に柱
とドア枠との突出距離が設定される。
従って、その状態でドア枠を柱にビス等で固定すれば簡単にドア枠を柱の所定の位置に簡
単に取付けることができる。
【００１５】
柱が鉄製の場合は、固定手段として磁石固着具の付いた取付け用補助具を使用する。予め
、突出距離を所定の距離に設定した２個の補助具を、それぞれ第２アングル部材の第２基
準片に装着された磁石固定具で柱に固定する。そして、第１基準片の基準平面にドア枠の
端面を当接させて柱に当てると、自動的に柱とドア枠との突出距離が設定される。従って
、その状態でドア枠を柱に釘等で固定すれば簡単にドア枠を柱の所定の位置に簡単に取付
けることができる。
【００１６】
本考案のドア枠取付け用補助具は、第２アングル部材を第１アングル部材に対して摺動さ
せるスライド機構に、横振れしないようにガイド部材を設けたので、第２アングル部材が
第１アングル部材に対して摺動する際、第２アングル部材の横振れを防止して、第１アン
グル部材と第２アングル部材の正しい相対位置を維持することができ、その結果、柱に対
するドア枠の位置がゆがむことなく正しく固定される。
【図面の簡単な説明】
【００１７】
【図１】本考案の木製柱用のドア枠取付け用補助具の平面図。
【図２】図１の側面図。
【図３】ガイド部材の正面図。
【図４】図１の底面図。
【図５】本考案の木製柱用のドア枠取付け用補助具をドア枠に取り付けた状態を示す    説明図。
【図６】図５のドア枠を柱に当てた状態を示す説明図。
【図７】図６の一部断面平面図。
【図８】本考案の鉄製柱用のドア枠取付け用補助具の平面図。
【図９】図８の側面図
【図１０】鉄製柱用のドア枠取付け用補助具を柱に取付け、ドア枠を当てた状態を示す一部断面平面図。
【図１１】本考案の木製柱又は鉄製柱両用の実施例を示すドア枠取付け用補助具の平面図。
【図１２】図１１のドア枠取付け用補助具をドア枠及び鉄製柱に取り付けた状態を示す説明図。
【図１３】通常のドアの構造を示す説明図。
【図１４】従来法によりドア枠を柱に取付ける状態を示す説明図。
【考案を実施するための形態】
【００１８】
以下、実施例を参照して本考案の実施の形態を説明する。
【実施例１】
【００１９】
図１〜図７は、木製柱用のドア枠取付け用補助具を示す図面である。
図１、図２に示すように、ドア枠取付け用補助具１は、第１アングル部材２，第２アング
ル部材３より構成されている。第１アングル部材２は第１基準片２１とそれに直角に屈折
された第１スライド片２２よりなり、第１基準片２１の先端は第１スライド片２２の方向
に直角に屈折されて、固定手段のクランプ部材２３を支承する支持片２４が形成されてい
る。
【００２０】
クランプ部材２３は、つまみ２３１に突出された裸子棒２３２の先端に圧着部２３３を備
えている。裸子棒２３２は支持片２４に設けられた裸子溝に螺合して、上下方向に移動可
能に螺着されているので、圧着部２３３の裏面に貼着されたゴム板２３４と第１スライド
片２２の表面に貼着さられたゴム板２２１との間でドア枠の端部を挟持することができる
。
【００２１】
第２アングル部材３は第２基準片３１とそれに直角に屈折された第２スライド片３２より
構成されている。
第２スライド片３２には、図４に示されたように、中央長手方向にガイド溝３２１が削設
されている。第１スライド片２２にボルト３３が突設されている。
【００２２】
第１スライド片２２と第２スライド片３２のそれぞれの摺動面を重ねて、ボルト３３をガ
イド溝３２１に挿通する。突出したボルト３３の先端にナット３４を嵌め（図１）、第２
スライド片３２を第１スライド片２２に対して摺動自在に取付ける。そして、ナット３４
を締めることによって第２スライド片３２を任意の位置に固定することができる。
【００２３】
図３に示すように。第１基準片２１には、ガイド部材２５が取付けられている。ガイド部
材２５には左右のガイド突起２５１、２５１と中央のガイド突起２５２が突設されている
。ガイド突起２５１，２５１は第２スライド片３２の側壁に接触し、ガイド突起２５２は
ガイド溝３２１の側壁に接触し、第２スライド片３２が第１スライド片２２に対して摺動
する際、横振れすることを防止している。
【００２４】
第２スライド片３２には、第１基準片２１の基準平面２１１と第２基準片３１の基準平面
３１１との距離を計測できる目盛り３５が設けられている。また、図４に示されたように
、第１スライド片２２にメジャーの基準点となる指標３６が設けられている。
【００２５】
次に本考案の木製柱用のドア枠取付け用補助具の使用方法について述べる。
図５に示されるように、ドア枠取付け用補助具１を２個用意する。そして、各補助具１の
突出距離を設定する。そのためには、図４に示されたように、第２スライド片３２をスラ
イドさせて、指標３６に突出距離に応じた目盛り３５を合わせる。このようにして突出距
離が設定された補助具１、１を図５に示されたように、ドア枠７の端部の上下にクランプ
部材２３を使用してそれぞれ取付ける。
【００２６】
このドア枠７を、図６に示されたように、木製柱８１の取り付け面に当てた状態でスライ
ドさせ、第２基準片３１の基準平面３１１が柱８１の側面８４に当接させれば、自動的に
突出距離Ｌが設定され、ドア枠７は柱８１に対して正しい設定位置に保持されるので、そ
のままの状態でビスを打ち込んで、ドア枠７を柱８１に固定すれば、ドア枠７は柱８１の
正しい位置に取付けることができる。
【００２７】
その状態を上から見れば、図７のようになり、ドア枠７の端面は第１基準片２１の内側の
基準平面２１１に接し、第２基準片３１の基準平面３１１には柱８１の側面８４が当接さ
れているので、ドア枠７と柱８１との問の突出距離Ｌは確保されていることが分かる。
【実施例２】
【００２８】
次に、図８及び図９を使用して、鉄製柱用のドア枠取付け用補助具４について説明する。
ドア枠取付け用補助具４は第１アングル部材５と第２アングル部材６とより構成されてい
る。第２アングル部材６は取付け柱の側面に当接する基準平面を有する第２基準片６１と
第２基準片６１に対して直角に折曲された第２スライド片６２とよりなる。
第２基準片６１には取付け柱の側面に固着できる固定手段が設けられている。この固定手
段としては、磁石固定具６３が用いられる。従って、柱に対する実際の基準平面は磁石固
定具６３の表面になる。
【００２９】
第１アングル部材５は、ドア枠の端面に当接する基準平面を有する第１基準片５１と該第
１基準片５１に対して直角に折曲された第１スライド片５２とを備えている。そして、第
２アングル部材６の第２スライド片６２と第１アングル部材５の第１スライド片５２を密
接させて、第１アングル部材５を第２アングル部材６に対して摺動自在に係合させる。そ
して、第１スライド片５２にボルト５２１を突設するとともに、第２スライド片６２の中
央長手方向にガイド溝６２１を削設した後、両者を重ね、ガイド溝６２１を挿通して突出
したボルト５２１の先端にナット５２２を嵌め、第１スライド片５２を第２スライド片６
２に対して摺動自在に取付けるとともに、ナット５２２を締めることによって第１スライ
ド片５２を任意の位置に固定することができるようにした。なお、図中５２４は第１基準
片５１の表面に貼着されたゴム板で、実質的に第１基準片５１の基準表面はゴム板５２４
の表面になる。
【００３０】
さらに、第１スライド片５２が第２スライド片６２に対して摺動する際、横振れしないよ
うにガイド部材を設けた。このガイド部材として、第１スライド片５２に、第２スライド
片６２のガイド溝６２１に当接する螺子状の誘導突起５２３を使用する。
【００３１】
突出距離を測るメジャーとしては、図9に示されるように第２スライド片６２に目盛り６
２２を、第１スライド片５２にメジャーの基準点となる指標５１１をそれぞれ使用する。
【００３２】
図１０は、鉄製柱８２にドア枠７を取り付ける場合の方法を図解したものである。まず、
鉄製柱用のドア枠取付け用補助具４の第２スライド片６２に対して第１スライド片５２を
スライドさせて指定された突出距離Ｌを設定する。突出距離Ｌが設定されたドア枠取付け
用補助具４を２個鉄製柱８２の上下２ヵ所に磁石固定具６３を使用してそれぞれ固定する
。この状態でドア枠７の端面を第１基準片５１の基準平面、実質的にはゴム板５２４の表
面に当接させれば、ドア枠７は指定された突出距離Ｌを保った状態で、金属柱８２に位置
決めされる。この状態でビスを打ち込んでドア枠７を柱８２に固定させる。この方法によ
れば、その都度、突出距離を計測することなく簡単にドア枠を柱に正確に取り付けること
ができる。
【実施例３】
【００３３】
次に図１１と図１２によって、木製の柱及び鉄製の柱両用のドア枠取付け用補助具の実施
例を説明する。
図１１のドア枠取付け用補助具４１の本体構造は実施例１に示される図１の補助具と同じ
であるが、第２アングル部材の第２基準片３１の表面に板状の磁石固定具６３を貼付した
ものである。
木製の柱については、図７に示す状態と同じように使用する。しかし、第２アングル部材
３の第２基準片３１の基準平面は磁石固定具６３の表面になる。
【００３４】
木製の柱８１に使用する場合は、図６に示されるように、突出距離Ｌを設定した補助具を
ドア７にクランク部材２３で固定し、ドア７を手で持って柱に補助具の第２基準片３１を
柱のクランク部材２３で表面８４に当てた状態で、ドアを柱８１にビスで固定している。
このビス留め作業を行っている間はドアと柱８１の相対位置は手で保持していなければな
らないので、作業中その相対位置がずれてしまう危険性もある。
【００３５】
鉄製の柱８２に使用する場合は、図１２に示すように、第１アングル部材２はドア７にク
ランプ部材２３で固定され、第２基準片３１は鉄製柱８２に磁石固定具６３で固定されて
いるので、鉄製柱８２とドア７との位置決めの作業の際に手を離しても両者の相対関係は
維持され、ビス留め作業を容易に且つ正確に行うことができる。
【符号の説明】
【００３６】
１  木製柱用ドア枠取付け用補助具
２  第１アングル部材
２１  第１基準片
２２  第１スライド片
２３  クランプ部材
２４  支持片
２５  ガイド部材
３  第２アングル部材
３１  第２基準片
３２  第２スライド片
３３  裸子ボルト
３４  ナット
３５  日盛り
３６  指標
４  鉄製柱用ドア枠取付け用補助具
４１  他の実施例の鉄製柱用ドア枠取付け用補助具
５  第１アングル部材
５１  第１基準片
５２  第１スライド片
５２１  ボルト
５２２    ナット
５２３    誘導突起
５２４    ゴム板
６  第２アングル部材
６１  第２基準片
６２  第２スライド片
６３  磁石固着具
７  ドア枠
８  柱
８１  木製柱
８２  鉄製柱
８３  ドアの取り付け面
８４  柱の側面
【図１】
0003228904.tif 000003
【図２】
0003228904.tif 000004
【図３】
0003228904.tif 000005
【図４】
0003228904.tif 000006
【図５】
0003228904.tif 000007
【図６】
0003228904.tif 000008
【図７】
0003228904.tif 000009
【図８】
0003228904.tif 000010
【図９】
0003228904.tif 000011
【図１０】
0003228904.tif 000012
【図１１】
0003228904.tif 000013
【図１２】
0003228904.tif 000014
【図１３】
0003228904.tif 000015
【図１４】
0003228904.tif 000016
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
ドア枠の端面に当接する基準平面を有する第１基準片と該第１基準片に対して直角に折曲
された第１スライド片を備えた第１アングル部材と、
取付け柱の側面に当接する基準平面を有する第２基準片と該第２基準片に対して直角に折
曲された第２スライド片とを備えた第２アングル部材とよりなり、
上記第１アングル部材の第１スライド片と上記第２アングル部材の第２スライド片を密接
させて、上記第２アングル部材を上記第１アングル部材に対して摺動自在に係合させたス
ライド機構、
および、
上記スライド機構に、上記第２スライド片が上記第１スライド片に対して摺動する際横振
れしないようにガイド部材を設けると共に
上記第１アングル部材の第１基準片又は上記第２アングル部材の第２基準片のいずれか一
方あるいは両方に上記ドア枠の端面又は取り付け柱の端面に固定する固定具を設けたこと
を特徴とするドア枠取付け用補助具。
【請求項２】
上記スライド機構として、上記第１スライド片にボルトを突設するとともに、上記第２ス
ライド片の中央長手方向にガイド溝を削設した後、両者を重ね、上記ガイド溝を挿通して
突出したボルトの先端にナットを嵌め、上記第２スライド片を上記第１スライド片に対し
て摺動自在に取付けるとともに、上記ナットを締めることによって上記第２スライド片を
任意の位置に固定することができる機構を設けたことを特徴とする請求項１に記載のドア
枠取付け用補助具。
【請求項３】
上記ガイド部材として、上記第１スライド片に上記第２スライド片の側面またはガイド溝
に当接する誘導突起を設けたことを特徴とする請求項１に記載のドア枠取付け用補助具。
【請求項４】
上記第１アングル部材の第１基準片を上記ドア枠の端面に固定する固定具として、クラン
プ部材を使用することを特徴とする請求項１に記載のドア枠取付け用補助具。
【請求項５】
上記クランプ部材は、上記第１基準片の端部を上記第１スライド片と同じ方向に直角に屈
折して設けた支持片に取付けられ、上記クランプ部材の圧迫具と上記第１スライド片との
間でドア枠を挟持し固定する機構を有することを特徴とする請求項４に記載のドア枠取付
け用補助具。
【請求項６】
上記第２アングル部材の第１基準片を取り付け柱の端面に固定する固定具として、磁石固
定具を上記第２アングル部材の第２基準片に設けたことを特徴とする請求項１に記載のド
ア枠取付け用補助具。
【請求項７】
上記第１基準片の基準平面と上記第２基準片の基準平面との距離を計測できるメジャーを
設けたことを特徴とする請求項１記載のドア枠取付け用補助具。
【請求項８】
上記メジャーとして、上記第２スライド片に目盛りを、第１スライド片に該メジャーの基
準点となる指標をそれぞれ設けたことを特徴とする請求項７に記載のドア枠取付け用補助
具。